(57)【要約】【課題】多くの作業指示内容を表示でき、表示内容が書き換えられたか否かを容易に認識できる表示システム等を提供する。【解決手段】  受信した表示データを表示し、対象物Ｃ、Ｐに複数設置された表示端末装置２０を備えた表示システム１であって、各表示端末装置の表示面（２３）が一度に視認できるように、各表示端末装置が対象物に並べて設置され、表示端末装置が、表示データが書き換えられた際、表示データが書き換えられたことを示すマークｍを表示面の所定の位置に表示し、表示データが書き換えられた際、各表示端末装置の表示面の所定位置に表示された各マークにより形成されるパターンが、各マークｍが互いに所定の関連性を有する関連パターンｐｔ０、ｐｔ１になるように、マークｍの表示を制御する。【選択図】図１
2015127923.tif 000002
【特許請求の範囲】
【請求項１】
受信した表示データを表示し、対象物に複数設置された表示端末装置を備えた表示システムであって、
前記各表示端末装置の表示面が一度に視認できるように、前記各表示端末装置が前記対象物に並べて設置され、
前記表示端末装置が、前記表示データが書き換えられた際、前記表示データが書き換えられたことを示すマークを前記表示面の所定の位置に表示する表示手段を有し、
前記表示データが書き換えられた際、前記各表示端末装置の表示面の所定位置に表示された各前記マークにより形成されるパターンが、各前記マークが互いに所定の関連性を有する関連パターンになるように、前記マークの表示を制御することを特徴とする表示システム。
【請求項２】
請求項１に記載の表示システムにおいて、
前記表示手段が、前記表示データが書き換えられる毎に、複数の前記所定位置に順に表示される前記マークを表示することを特徴とする表示システム。
【請求項３】
請求項１または請求項２に記載の表示システムにおいて、
前記表示手段が、前記表示データが書き換えられる毎に、前記マークを表示する前記所定位置を変更することを特徴とする表示システム。
【請求項４】
請求項１から請求項３のいずれか１項に記載の表示システムにおいて、
各前記マークが、前記表示面の中の周辺部に表示されることを特徴とする表示システム。
【請求項５】
請求項４に記載の表示システムにおいて、
前記表示面が矩形であって、各前記マークが、前記矩形の辺のうち少なくとも１つの側に表示されることを特徴とする表示システム。
【請求項６】
受信した表示データを表示し、対象物に複数設置された表示端末装置の表示を、無線を介して制御する表示制御装置において、
前記各表示端末装置の表示面が一度に視認できるように、前記各表示端末装置が前記対象物に並べて設置された前記表示端末装置の表示を、前記表示データが書き換えられた際、前記表示データが書き換えられたことを示すマークを前記表示面の所定の位置に表示するように制御する表示制御手段を備え、
前記表示制御手段が、前記表示データが書き換えられた際、前記各表示端末装置の表示面の所定位置に表示された各前記マークにより形成されるパターンが、各前記マークが互いに所定の関連性を有する関連パターンになるように、前記マークの表示を制御することを特徴とする表示制御装置。
【請求項７】
受信した表示データを表示し、対象物に複数設置された表示端末装置の表示を、無線を介して制御する表示制御装置の表示制御方法において、
前記各表示端末装置の表示面が一度に視認できるように、前記各表示端末装置が前記対象物に並べて設置された前記表示端末装置の表示を、前記表示データが書き換えられた際、前記表示データが書き換えられたことを示すマークを前記表示面の所定の位置に表示するように制御する表示制御ステップを有し、
前記表示制御ステップにおいて、前記表示データが書き換えられた際、前記各表示端末装置の表示面の所定位置に表示された各前記マークにより形成されるパターンが、各前記マークが互いに所定の関連性を有する関連パターンになるように、前記マークの表示を制御することを特徴とする表示制御方法。
【請求項８】
受信した表示データを表示し、対象物に複数設置された表示端末装置の表示を、無線を介して制御する表示制御装置用のプログラムにおいて、
コンピュータを、
前記各表示端末装置の表示面が一度に視認できるように、前記各表示端末装置が前記対象物に並べて設置された前記表示端末装置の表示を、前記表示データが書き換えられた際、前記表示データが書き換えられたことを示すマークを前記表示面の所定の位置に表示するように制御する表示制御手段として機能させ、
前記表示制御手段が、前記表示データが書き換えられた際、前記各表示端末装置の表示面の所定位置に表示された各前記マークにより形成されるパターンが、各前記マークが互いに所定の関連性を有する関連パターンになるように、前記マークの表示を制御することを特徴とする表示制御装置用のプログラム。
【発明の詳細な説明】
【技術分野】
【０００１】
本発明は、データを表示する表示システム、表示制御装置、表示制御方法、および、表示制御装置用のプログラムに関する。
【背景技術】
【０００２】
工場における各工程の作業指示に、表示内容を電気的に書き換えることができる電子ペーパが利用されている。例えば、特許文献１には、メモリ性を有し、書き換え時にのみ電力を消費する表示デバイスを、内蔵または外付けにより備え、記憶されるデータの読み出し／書き込みの処理の際、アンテナの誘起電力を表示デバイスに供給することにより、表示デバイスの表示を別の状態に変化させる表示器付き無線タグが開示されている。
【先行技術文献】
【特許文献】
【０００３】
【特許文献１】特開２０１０−２１８２５６号公報
【発明の概要】
【発明が解決しようとする課題】
【０００４】
しかしながら、特許文献１の技術では、人間の記憶に依存するため、表示内容が書き換えられたことを容易に確認することができなかった。また、作業指示内容が多くなると、電子ペーパに書き込む情報量が増加して、文字が小さくなる等、確認しにくくなるという問題もあった。
【０００５】
そこで、本発明は上記の問題点等に鑑みて為されたもので、その課題の一例は、多くの作業指示内容を表示でき、表示内容が書き換えられたか否かを容易に認識できる表示システム等を提供することを目的とする。
【課題を解決するための手段】
【０００６】
上記の課題を解決するために、請求項１に記載の発明は、受信した表示データを表示し、対象物に複数設置された表示端末装置を備えた表示システムであって、前記各表示端末装置の表示面が一度に視認できるように、前記各表示端末装置が前記対象物に並べて設置され、前記表示端末装置が、前記表示データが書き換えられた際、前記表示データが書き換えられたことを示すマークを前記表示面の所定の位置に表示する表示手段を有し、前記表示データが書き換えられた際、前記各表示端末装置の表示面の所定位置に表示された各前記マークにより形成されるパターンが、各前記マークが互いに所定の関連性を有する関連パターンになるように、前記マークの表示を制御することを特徴とする。
【０００７】
また、請求項２に記載の発明は、請求項１に記載の表示システムにおいて、前記表示手段が、前記表示データが書き換えられる毎に、複数の前記所定位置に順に表示される前記マークを表示することを特徴とする。
【０００８】
また、請求項３に記載の発明は、請求項１または請求項２に記載の表示システムにおいて、前記表示手段が、前記表示データが書き換えられる毎に、前記マークを表示する前記所定位置を変更することを特徴とする。
【０００９】
また、請求項４に記載の発明は、請求項１から請求項３のいずれか１項に記載の表示システムにおいて、各前記マークが、前記表示面の中の周辺部に表示されることを特徴とする。
【００１０】
また、請求項５に記載の発明は、請求項４に記載の表示システムにおいて、前記表示面が矩形であって、各前記マークが、前記矩形の辺のうち少なくとも１つの側に表示されることを特徴とする。
【００１１】
また、請求項６に記載の発明は、受信した表示データを表示し、対象物に複数設置された表示端末装置の表示を、無線を介して制御する表示制御装置において、前記各表示端末装置の表示面が一度に視認できるように、前記各表示端末装置が前記対象物に並べて設置された前記表示端末装置の表示を、前記表示データが書き換えられた際、前記表示データが書き換えられたことを示すマークを前記表示面の所定の位置に表示するように制御する表示制御手段を備え、前記表示制御手段が、前記表示データが書き換えられた際、前記各表示端末装置の表示面の所定位置に表示された各前記マークにより形成されるパターンが、各前記マークが互いに所定の関連性を有する関連パターンになるように、前記マークの表示を制御することを特徴とする。
【００１２】
また、請求項７に記載の発明は、受信した表示データを表示し、対象物に複数設置された表示端末装置の表示を、無線を介して制御する表示制御装置の表示制御方法において、前記各表示端末装置の表示面が一度に視認できるように、前記各表示端末装置が前記対象物に並べて設置された前記表示端末装置の表示を、前記表示データが書き換えられた際、前記表示データが書き換えられたことを示すマークを前記表示面の所定の位置に表示するように制御する表示制御ステップを有し、前記表示制御ステップにおいて、前記表示データが書き換えられた際、前記各表示端末装置の表示面の所定位置に表示された各前記マークにより形成されるパターンが、各前記マークが互いに所定の関連性を有する関連パターンになるように、前記マークの表示を制御することを特徴とする。
【００１３】
また、請求項８に記載の発明は、受信した表示データを表示し、対象物に複数設置された表示端末装置の表示を、無線を介して制御する表示制御装置用のプログラムにおいて、コンピュータを、前記各表示端末装置の表示面が一度に視認できるように、前記各表示端末装置が前記対象物に並べて設置された前記表示端末装置の表示を、前記表示データが書き換えられた際、前記表示データが書き換えられたことを示すマークを前記表示面の所定の位置に表示するように制御する表示制御手段として機能させ、前記表示制御手段が、前記表示データが書き換えられた際、前記各表示端末装置の表示面の所定位置に表示された各前記マークにより形成されるパターンが、各前記マークが互いに所定の関連性を有する関連パターンになるように、前記マークの表示を制御することを特徴とする。
【発明の効果】
【００１４】
本発明によれば、多くの作業指示内容を表示でき、表示内容が書き換えられたか否かを容易に認識できる。
【図面の簡単な説明】
【００１５】
【図１】本発明の実施形態に係る表示システムの概要構成例を示す模式図である。
【図２】図１の情報処理装置の概要構成例を示すブロック図である。
【図３】施設の地図情報の一例を示す模式図である。
【図４】図２の表示情報データベースに記憶された表示状態管理テーブルの一例を示す模式図である。
【図５】図１の表示端末装置の概要構成例を示すブロック図である。
【図６Ａ】図１の表示端末装置の一例を示す模式図である。
【図６Ｂ】図１の表示端末装置の一例を示す模式図である。
【図７】製造工程の一例の概要を示す模式図である。
【図８】図１の表示システムの動作例を示すシーケンス図である。
【図９】通信パケットの一例を示す模式図である。
【図１０】図１の表示端末装置の配列および表示パターンの一例を示す模式図である。
【図１１】図１の表示端末装置の配列および表示パターンの一例を示す模式図である。
【図１２】図１の表示端末装置の配列および表示パターンの一例を示す模式図である。
【図１３】図１の表示端末装置の表示の変形例を示す模式図である。
【図１４】図１の表示端末装置の表示の変形例を示す模式図である。
【図１５】各表示端末装置に表示されたマークにより形成される表示パターンの変形例を示す模式図である。
【図１６】各表示端末装置に表示されたマークにより形成される表示パターンの変形例を示す模式図である。
【図１７】各表示端末装置に表示されたマークにより形成される表示パターンの変形例を示す模式図である。
【図１８】各表示端末装置に表示されたマークが３つの表示状態である一例を示す模式図である。
【図１９】各表示端末装置に表示されたマークが４つの表示状態である一例を示す模式図である。
【図２０】各表示端末装置に表示されたマークが数字である一例を示す模式図である。
【図２１】各表示端末装置に表示されたマークが数字である一例を示す模式図である。
【図２２】表示端末装置の変形例を示す模式図である。
【発明を実施するための形態】
【００１６】
以下、図面を参照して本発明の実施形態について説明する。なお、以下に説明する実施の形態は、表示システムに対して本発明を適用した場合の実施形態である。
【００１７】
［１．表示システムの構成および機能の概要］
【００１８】
まず、本発明の一実施形態に係る表示システムの構成および概要機能について、図１を用いて説明する。
【００１９】
図１は、本発明の実施形態に係る表示システムの概要構成例を示す模式図である。
【００２０】
図１に示すように、表示システム１は、所定の範囲の複数の場所に配置された無線機５に接続した情報処理装置１０と、無線機５と通信可能で、対象物の一例である荷台Ｃや物品Ｐに複数並べて設置された表示端末装置２０と、を備える。また、表示システム１は、表示端末装置２０を読み取る読取機７を備えている。
【００２１】
情報処理装置１０と、各無線機５とは、ＬＡＮ（Local Area Network）のようなネットワーク３を通して接続されている。各無線機５と、各表示端末装置２０とは、電波による近距離無線通信による交信、および、赤外線による光無線データ通信による交信を行う。例えば、各無線機５と各表示端末装置２０とは、２．４ＧＨｚ帯域の近距離無線通信により、５０ｍ〜１００ｍの範囲の交信を行う。また、各無線機５と各表示端末装置２０とは、赤外線による光無線データ通信により、交信を行う。なお、各無線機５と各表示端末装置２０とは、２種類の通信を行えばよく、異なる周波数の電波による通信でもよい。また、ネットワーク３は、例えば、インターネット、専用通信回線（例えば、ＣＡＴＶ（Community Antenna Television）回線）、移動体通信網（基地局等を含む）でもよい。
【００２２】
無線機５は、基地局（アクセスポイント）であり、送信機能と受信機能とを有する。無線機５は、例えば、工場等の施設（所定の範囲の一例）の天井や壁に設置される。表示端末装置２０が施設内のどこにあっても通信できるように配置されている。
【００２３】
読取機７は、例えば、バーコードリーダ、ＩＣタグリーダである。読取機７は、複数の工程において、例えば、始めの工程に入ってきた表示端末装置２０を読み取る位置に設置される。
【００２４】
情報処理装置１０（表示制御装置の一例）は、表示端末装置２０の位置を推定したり、表示端末装置２０に表示するデータを送信したりする。
【００２５】
表示端末装置２０は、物品Ｐ（表示端末装置と対応する対象物の一例）に取り付けられたり、製造物等の物品Ｐを運ぶ荷台Ｃやコンテナ（表示端末装置と対応する対象物の一例）に取り付けられたりする。
【００２６】
図１に示すように、各表示端末装置２０の表示面が一度に視認できるように、２つの表示端末装置２０が隣接して、縦方向に並べて荷台Ｃの所定面に設置されたり、２つの表示端末装置２０が隣接して、横方向に並べて荷台Ｃ所定面に設置されたり、３つの表示端末装置２０が隣接して、縦方向に並べて物品Ｐ所定面に設置されたりする。複数の表示端末装置２０が、所定の配列関係で対象物に設置される。
【００２７】
［２．情報処理装置および各表示端末装置の構成および機能］
（２．１  情報処理装置１０の構成および機能）
次に、情報処理装置１０の構成および機能について、図２から図４を用いて説明する。
【００２８】
図２は、情報処理装置１０の概要構成例を示すブロック図である。図３は、施設の地図情報の一例を示す模式図である。図４は、表示情報データベースに記憶された表示状態管理テーブルの一例を示す模式図である。
【００２９】
図２に示すように、コンピュータとして機能する情報処理装置１０は、通信部１１と、記憶部１２と、表示部１３と、操作部１４と、入出力インターフェース部１５と、システム制御部１６と、を備えている。そして、システム制御部１６と入出力インターフェース部１５とは、システムバス１７を介して接続されている。
【００３０】
通信部１１は、ネットワーク３に接続して、無線機５を介して、表示端末装置２０との通信状態を制御するようになっている。
【００３１】
記憶部１２（記憶手段の一例）は、例えば、ハードディスクドライブ、シリコンディスクドライブ等により構成されており、オペレーティングシステムおよびサーバプログラム等の各種プログラムや地図情報等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００３２】
また、記憶部１２には、地図情報データベース１２ａ（以下「地図情報ＤＢ１２ａ」とする。）、位置情報データベース１２ｂ（以下「位置情報ＤＢ１２ｂ」とする。）、表示情報データベース１２ｃ（以下「表示情報ＤＢ１２ｃ」とする。）等が構築されている。
【００３３】
地図情報ＤＢ１２ａには、フロアマップデータとして、図３に示すような施設３０内における通路３１の配置情報、部屋３２の配置情報、物品を加工したり製造したりする装置３３の配置情報、物品の格納庫３４等の配置情報、無線機５の配置情報が記憶されている。各通路３１には、通路ＩＤが割り当てられ、通路の始点、終点、長さ、幅等が地図情報ＤＢ１２ａに記憶されている。また、各部屋３２、各装置３３、各格納庫３４には、それぞれ、部屋ＩＤ、装置ＩＤ、格納庫ＩＤが割り当てられている。
【００３４】
各装置３３は、製造物の製造の各工程で使用される。製造物は、表示端末装置２０が取り付けられた荷台Ｃに搬送される。
【００３５】
また、地図情報ＤＢ１２ａには、表示端末装置２０を対応させる物品が存在しえない場所を示す存在不可情報、格納庫における物品等の数等を示す格納庫情報が、格納庫ＩＤに関連付けられて記憶されている。ここで、存在不可情報は、例えば、エリア３５（例えば、トイレ、更衣室、事務室。施設３０の外側等）、壁等、表示端末装置２０を対応させる物品等が置かれることのない存在不可エリアを示す位置情報である。
【００３６】
ここで、通路３１は、物品等に取り付けられた表示端末装置２０が移動する移動領域の一例である。格納庫３４は、物品等に取り付けた表示端末装置２０が停止している停止領域の一例である。エリア３５および壁等は、存在不可能領域の一例である。通路３１のような移動領域、格納庫３４のような停止領域、エリア３５の存在不可能領域は、移動状態に応じて設定される設定領域の一例である。
【００３７】
位置情報ＤＢ１２ｂには、各表示端末装置２０の位置履歴として、各表示端末装置２０の位置情報および時刻が、各表示端末装置２０の端末ＩＤに関連付けられて記憶される。例えば、図３に示すように、施設３０の所定の場所を原点とする座標軸が設定される。また、位置情報ＤＢ１２ｂには、製造物の製造工程に関する情報（例えば、工程番号等）が、各表示端末装置２０の端末ＩＤに関連付けられて記憶されている。
【００３８】
表示情報ＤＢ１２ｃには、各表示端末装置２０に表示させる表示情報が記憶されている。例えば、表示情報として、物品の品名、顧客名、仕様、コード、ロット番号、物品に関する画像等が挙げられる。さらに、表示情報として、製造工程に関する指示、製造に関する情報、運搬先等が挙げられる。表示情報ＤＢ１２ｃには、端末ＩＤに関連付けられて、各表示端末装置２０の表示情報が記憶されている。
【００３９】
また、図４に示すように、表示情報ＤＢ１２ｃには、表示状態管理テーブルとして、複数の表示端末装置２０が設置される対象物毎のグループ番号と、対象物における複数の表示端末装置２０の互いの配列関係を示す配列状態と、表示端末装置２０におけるマークの表示状態を示す表示状態と、一連の製造工程において何回目であるかを示すラウンド番号とが、各表示端末装置２０の端末ＩＤに関連付けられて記憶されている。読取機７が、各製造工程に設置されている場合、ラウンド番号の代わりに製造工程番号でもよい。
【００４０】
なお、配列状態は、各表示端末装置２０が対象物に配列された際に、端末ＩＤおよびグループ番号と共に、表示情報ＤＢ１２ｃに登録される。
【００４１】
表示部１３は、例えば、液晶表示素子またはＥＬ（Electro Luminescence）素子等によって構成されている。
【００４２】
操作部１４は、例えば、キーボードおよびマウス等によって構成されている。
【００４３】
入出力インターフェース部１５は、通信部１１等とシステム制御部１６との間のインターフェース処理を行うようになっている。
【００４４】
システム制御部１６は、ＣＰＵ（Central Processing Unit）１６ａ、ＲＯＭ（Read Only Memory）１６ｂ、ＲＡＭ（Random Access Memory）１６ｃ等により構成されている。
【００４５】
（２．２  表示端末装置２０の構成および機能）
次に、表示端末装置２０の構成および機能について、図５および図６を用いて説明する。
図５は、表示端末装置２０の概要構成の一例を示すブロック図である。図６Ａおよび図６Ｂは、表示端末装置２０の一例を示す模式図である。
【００４６】
図５に示すように、コンピュータとして機能する表示端末装置２０は、通信部２１と、記憶部２２と、表示部２３と、操作部２４と、入出力インターフェース部２５と、システム制御部２６とを備えている。また、表示端末装置２０は、小型電池等の電源（図示せず）を備えている。そして、システム制御部２６と入出力インターフェース部２５とは、システムバス２７を介して接続されている。
【００４７】
通信部２１は、無線通信機能を有し、無線機５を通して、情報処理装置１０等との通信を制御する。
【００４８】
記憶部２２は、例えば、フラッシュメモリ等の不揮発性メモリ等からなり、オペレーティングシステム等のプログラム等を記憶する。また、記憶部２２には、表示端末装置２０自体を示す端末ＩＤが記憶されている。
【００４９】
表示部２３（表示面の一例）は、例えば、電子ペーパ用の素子等によって構成されている。表示部２３は、マイクロカプセル方式、電子粉流体方式、液晶方式、電気泳動方式等の電子ペーパである。なお、表示部２３は、ＥＬ素子等よって構成されてもよい。
【００５０】
図６Ａまたは図６Ｂに示すように、表示部２３には、物品の品名、顧客名、仕様、コード、ロット番号、日付、物品に関する画像等が表示される。
【００５１】
また、図６Ａに示すように、表示部２３には、２つの所定位置２３ａにマークｍが表示されている。２つのマークｍが、表示部２３の表示面内において、図中左側の所定位置２３ａに表示されている。表示部２３の表示内容が書き換えられると、図６Ｂに示すように、所定位置２３ａのマークは消え、表示部２３の表示面内において、所定位置２３ａと反対側（図中右側）２つの所定位置２３ｂにマークｍが表示される。さらに、表示部２３の表示内容が書き換えられると、図６Ａに示すように、所定位置２３ｂのマークは消え、２つの所定位置２３ａのマークｍが再び表示される。このように、表示データが書き換えられる毎に、２つの所定位置２３ａ、２３ｂに交互にマークｍが表示される。
【００５２】
このように、表示端末装置２０が、前記表示データが書き換えられた際、前記表示データが書き換えられたことを示すマークを前記表示面の所定の位置に表示する表示手段の一例として機能する。
【００５３】
また、図６Ａおよび図６Ｂに示すように、マークｍが、表示部２３の４隅（表示面の中の周辺部の一例）に表示されている。
また、表示部２３の４隅は、矩形の辺のうち少なくとも１つの側の一例である。図６Ａおよび図６Ｂに示すように、表示部２３の図中左側（矩形の辺のうち少なくとも１つの側の一例）に、２つの所定位置２３ａに表示された２つのマークｍが表示されている。表示部２３の図中右側（矩形の辺のうち少なくとも１つの側の一例）に、２つの所定位置２３ｂに表示された２つのマークｍが表示されている。
【００５４】
操作部２４は、図６Ａまたは図６Ｂに示すように、例えば、操作ボタン等よって構成されている。操作ボタンにより、電源のオン・オフや、次のページ表示、最新の情報の表示等が操作される。
【００５５】
入出力インターフェース部２５は、通信部２１等とシステム制御部２６とのインターフェースである。
【００５６】
システム制御部２６は、例えば、ＣＰＵ２６ａと、ＲＯＭ２６ｂと、ＲＡＭ２６ｃとを有する。システム制御部２６は、ＣＰＵ２６ａが、ＲＯＭ２６ｂや、ＲＡＭ２６ｃや、記憶部２２に記憶された各種プログラムを読み出して実行する。
【００５７】
また、図６Ａまたは図６Ｂに示すように、表示端末装置２０には、読取機７により読み取られるコード２０ａがある。コード２０ａは、表示端末装置２０の端末ＩＤに対応する。なお、表示端末装置２０は、コード２０ａの代わりに、ＩＣタグを内蔵してもよい。
【００５８】
［３．表示システム１の動作］
次に、本発明の１実施形態に係る表示システム１の動作について図７から図１２を用いて説明する。
【００５９】
図７は、製造工程の一例の概要を示す模式図である。図８は、表示システム１の動作例を示すシーケンス図である。通信パケットの一例を示す模式図である。図１０から図１２は、表示端末装置２０の配列および表示パターンの一例を示す模式図である。
【００６０】
まず、図７に示すように、表示端末装置２０が取り付けられた荷台Ｃが、第１の製造工程の場所に搬入される前に、表示データの書き換え（更新）のため、対象物に設置された複数の表示端末装置２０のうちの少なくとも１つの表示端末装置２０のコード２０ａが、読取機７により読み取られる。そして、情報処理装置１０は、表示端末装置２０の端末ＩＤを取得する。ここで、情報処理装置１０は、表示データの書き換え（更新）のタイミングを計るため、表示端末装置２０のコード２０ａを読み取る。
【００６１】
図８に示すように、表示システム１は、表示状態管理テーブルでマークの表示状態を確認する（ステップＳ１）。具体的には、情報処理装置１０は、取得した表示端末装置２０の端末ＩＤに基づき、表示情報ＤＢ１２ｃの表示状態管理テーブルを参照して、表示端末装置２０のマークの表示状態の情報を取得する。情報処理装置１０は、図６Ａに示すような所定位置２３ａのマークｍの表示状態“ｓ０”か、図６Ｂに示すような所定位置２３ｂのマークｍの“ｓ１”のどちらかの情報を取得する。
【００６２】
次に、表示システム１は、表示データにマークを合成する（ステップＳ２）。具体的には、情報処理装置１０は、表示情報ＤＢ１２ｃの表示状態管理テーブルを参照して、取得した表示端末装置２０の端末ＩＤに基づき、グループ番号を求め、同じグループ番号の端末ＩＤを求める。そして、情報処理装置１０は、グループ番号が同じ各端末ＩＤに基づき、表示情報ＤＢ１２ｃを参照して、各端末ＩＤに対応した表示データを読み出す。情報処理装置１０は、ステップＳ１で取得したマークの表示状態から次の表示状態に遷移させたマークを、読み出した各表示データに合成する。例えば、図６Ｂに示すように、情報処理装置１０は、所定位置２３ｂのマークｍを合成させた表示データを生成する。
【００６３】
次に、表示システム１は、画面書換命令を無線送信する（ステップＳ３）。具体的には、情報処理装置１０は、無線ＡＰの無線機５を介して、同じグループ番号に属する各端末ＩＤに対応する各表示端末装置２０に、書き換えの表示データを含む画面書換命令を送信する。ここで、画面書換命令は、図９に示すように、表示端末装置２０を呼び出すための宛先ＩＤ（端末ＩＤ）と、送信元ＩＤと、画面書換命令の命令コードと、表示データから構成される通信パケットにより送信される。
【００６４】
次に、表示システム１は、無線通信受信する（ステップＳ４）。具体的には、呼び出された各表示端末装置２０は、情報処理装置１０からの画面書換命令を介して受信する。
【００６５】
次に、表示システム１は、画面書換命令である否かを判定する（ステップＳ５）。具体的には、同じグループ番号に属する各表示端末装置２０は、通信パケットの命令コードを読み出し、画面書換命令であるか否かを判定する。
【００６６】
画面書換命令である場合（ステップＳ５；ＹＥＳ）、表示システム１は、画面書換処理を行う（ステップＳ６）。具体的に、同じグループ番号に属する各表示端末装置２０は、通信パケットの命令コードに続くデータを表示データとして、各表示部２３に表示する。例えば、図６Ｂに示すように、表示部２３の表示内容が書き換わった画像が表示される。図６Ｂに示すように、ロット番号、指示内容、および、所定位置２３ａのマークｍから所定位置２３ｂのマークｍへと、マークｍの位置が変更されている。
【００６７】
ここで、図１０に示すように、画面書換処理が行われる毎（すなわち、表示データが書き換えられる毎）に、２つの所定位置に交互にマークｍが表示され、対象物（荷台Ｃ）に設置された複数の表示端末装置２０に表示されたマークｍの関連パターンｐｔ０と、マークｍの関連パターンｐｔ１との間を関連パターンが行き来する。
【００６８】
関連パターンｐｔ０では、２つの表示端末装置２０において、マークｍの表示位置が同じであり、表示状態”ｓ０”が同じである。そして、２つ縦に配列された表示端末装置２０の表示部２３のマークｍが縦方向（配列方向）に、図中左側（表示面の中の周辺部の一例、矩形の辺のうち少なくとも１つの側の一例）に揃っている。
【００６９】
関連パターンｐｔ１では、２つの表示端末装置２０において、マークｍの表示位置が同じであり、マークｍの表示状態”ｓ１”が同じである。そして、２つ縦に配列された表示端末装置２０の表示部２３のマークｍが縦方向（配列方向）に、図中右側（表示面の中の周辺部の一例、矩形の辺のうち少なくとも１つの側の一例）に揃っている。
【００７０】
このように、各表示端末装置２０の表示部２３の所定位置に表示された各マークｍにより形成されるパターンが、各マークｍが互いに所定の関連性を有した関連パターンｐｔ０、ｐｔ１になっている。
【００７１】
しかし、複数の表示端末装置２０のうち一部の表示端末装置２０において、表示部２３自体に故障があり画面書換が失敗した場合や、システム制御部２６と表示部２３との間で断線等の故障があり画面書換が失敗した場合、または、電力が足りなく画面書換が失敗した場合、パターンｐｐとなる。すなわち、一方の表示端末装置２０表示状態が”ｓ０”で、他方の表示端末装置２０の表示状態が”ｓ１”となり、２つ縦に配列された表示端末装置２０において、マークｍが互い異なるパターンとなっている。
【００７２】
図１０に示すように、関連パターンｐｔ０、ｐｔ１の表示状態では、一方の表示端末装置２０のマークｍと、他方の表示端末装置２０のマークｍとの間で、縦方向の連続性があり、図形的な関係性が生じ、関連パターンｐｔ０、ｐｔ１は、統一感がある。しかし、パターンｐｐの表示状態では、一方の表示端末装置２０のマークｍと、他方の表示端末装置２０のマークｍとでは、横方向においてずれている。すなわち、統一感が乱れる。従って、関連パターンｐｔ０、ｐｔ１とパターンｐｐとは、区別しやすい。
【００７３】
また、図１１に示すように、２つの表示端末装置２０が横に配列された場合、表示状態”ｓ０”では、マークｍが図中上側（表示面の中の周辺部の一例、矩形の辺のうち少なくとも１つの側の一例）に表示され、表示状態”ｓ１”では、マークｍが図中下側（表示面の中の周辺部の一例、矩形の辺のうち少なくとも１つの側の一例）に表示される。
【００７４】
各表示端末装置２０の表示状態”ｓ０”である関連パターンｐｔ０では、マークｍが横一列に上側（表示面の中の周辺部の一例、矩形の辺のうち少なくとも１つの側の一例）で並び、各マークｍが互いに所定の関連性を有している。
【００７５】
各表示端末装置２０の表示状態”ｓ１”である関連パターンｐｔ１では、マークｍが横一列に下側（表示面の中の周辺部の一例、矩形の辺のうち少なくとも１つの側の一例）に並び、各マークｍが互いに所定の関連性を有している。
【００７６】
画面書換処理が行われる毎に、２つの所定位置に交互にマークｍが表示され、対象物に設置された複数の表示端末装置２０に表示されたマークｍの関連パターンｐｔ０と、マークｍの関連パターンｐｔ１との間を関連パターンが行き来する。
【００７７】
しかし、画面書換が失敗した場合、パターンｐｐとなる。すなわち、一方の表示端末装置２０表示状態が”ｓ０”で、他方の表示端末装置２０の表示状態が”ｓ１”となり、２つ横に配列された表示端末装置２０において、マークｍが互い異なるパターンとなっている。
【００７８】
図１１に示すように、関連パターンｐｔ０、ｐｔ１の表示状態では、一方の表示端末装置２０のマークｍと、他方の表示端末装置２０のマークｍとの間で、横方向の連続性があり、図形的な関係性が生じ、関連パターンｐｔ０、ｐｔ１は、統一感がある。しかし、パターンｐｐの表示状態では、一方の表示端末装置２０のマークｍと、他方の表示端末装置２０のマークｍとでは、縦方向においてずれている。従って、関連パターンｐｔ０、ｐｔ１とパターンｐｐとは、区別しやすい。
【００７９】
また、図１２に示すように、３つの表示端末装置２０が縦に配列された場合、表示状態”ｓ０”では、マークｍが図中左側に表示され、表示状態”ｓ１”では、マークｍが図中右側に表示される。各表示端末装置２０の表示状態”ｓ０”である関連パターンｐｔ０では、マークｍが縦一列に左側で並び、各マークｍが互いに所定の関連性を有している。各表示端末装置２０の表示状態”ｓ１”である関連パターンｐｔ１では、マークｍが縦一列に右側に並び、各マークｍが互いに所定の関連性を有している。
【００８０】
画面書換処理が行われる毎に、２つの所定位置に交互にマークｍが表示され、対象物に設置された複数の表示端末装置２０に表示されたマークｍの関連パターンｐｔ０と、マークｍの関連パターンｐｔ１との間を関連パターンが行き来する。
【００８１】
しかし、画面書換が失敗した場合、パターンｐｐとなる。すなわち、一方の表示端末装置２０表示状態が”ｓ０”で、他方の表示端末装置２０の表示状態が”ｓ１”となり、３つ縦に配列された表示端末装置２０において、マークｍが縦一例にならず、マークｍのパターンが乱れている。
【００８２】
次に、表示システム１は、応答を送信する（ステップＳ７）。具体的には、各表示端末装置２０は、画面書換処理が終了した旨の情報を、情報処理装置１０に、無線通信により送信する。また、画面書換命令でない場合（ステップＳ５；ＮＯ）、表示システム１は、画面書換でない処理をして応答を送信して終了する。
【００８３】
次に、表示システム１は、応答を受信する（ステップＳ８）。具体的には、情報処理装置１０は、画面書換処理が終了した旨の情報を、各表示端末装置２０から無線通信により受信する。
【００８４】
次に、表示システム１は、画面書換が成功か否かを判定する（ステップＳ９）。具体的には、情報処理装置１０は、書き換え対象の各表示端末装置２０について、一定時間に応答があるか無いかを判定する。
【００８５】
画面書換が成功した場合（ステップＳ９；ＹＥＳ）、表示システム１は、表示状態管理テーブルを更新する（ステップＳ１０）。具体的には、情報処理装置１０は、表示情報ＤＢ１２ｃの表示状態管理テーブルにおける、書き換え対象の各端末ＩＤの表示状態を更新する。例えば、情報処理装置１０は、グループ番号”001”に属する端末ＩＤ”01234”、”0011235”における表示状態”ｓ０”から”ｓ１”に変更する。
【００８６】
画面書換が成功しなかった場合（ステップＳ９；ＮＯ）、表示システム１は、エラー通知する（ステップＳ１１）。具体的に、情報処理装置１０は、一定時間応答がない場合、タイムアウトとし、表示部１３等にエラーメッセージを表示して、管理者にエラーを通知する。
【００８７】
このように、情報処理装置１０は、ステップＳ３において、無線ＡＰの無線機５を介して、同じグループ番号に属する各端末ＩＤに対応する各表示端末装置２０に、書き換えの表示データを含む画面書換命令を送信することにより、前記各表示端末装置の表示面が一度に視認できるように、前記各表示端末装置が前記対象物に並べて設置された前記表示端末装置の表示を、前記表示データが書き換えられた際、前記表示データが書き換えられたことを示すマークを前記表示面の所定の位置に表示するように制御する表示制御手段の一例として機能する。
【００８８】
以上、本実施形態によれば、表示端末装置２０の表示部２３を大型化せずに、複数の表示端末装置２０により多くの作業指示内容を表示できる。そして、表示データが書き換えられた際に、各表示端末装置２０の表示面の所定位置（２３ａ、２３ｂ）に表示された各マークｍにより構成されるパターンが、各マークｍが互いに所定の関連性を有する関連パターン（ｐｔ０、ｐｔ１）になるように、マークｍの表示が制御されるので、書き換えが失敗したパターンｐｐとの区別がしやすく、表示データの表示内容が書き換えられたか否かを容易に認識できる。表示部２３に表示するマークｍと、隣接して設置された表示端末装置２０の表示部２３に表示するマークｍの位置が一致しているかどうかで、容易に、表示更新が正常に行われたかを目視で確認できる。
【００８９】
また、大型化が不要なため、表示システムのコストを軽減できる。
【００９０】
また、書き換え失敗の原因が電源である場合、液晶ディスプレイであれば電源が供給されない画面が消えるので目視ですぐ異常が判明しやすいが、表示端末装置２０が電子ペーパの場合でも、表示データの表示内容が書き換えられたか否かを容易に認識できる。
【００９１】
また、表示データが書き換えられる毎に、複数の所定位置（２３ａ、２３ｂ）に順に表示されるマークｍを表示する場合、書き換えに対して規則的で統一感のある関連パターンを形成しやすくなる。すなわち、書き換えに対して同期した関連パターンを形成しやすくなる。
【００９２】
また、表示データが書き換えられる毎に、所定位置２３ａと所定位置２３ｂとのように、マークｍを表示する所定位置を変更する場合、規則的で統一感のある関連パターンｐｔ０、ｐｔ１に対して、書き換えが失敗したパターンｐｐとの複数のマークｍにより形成される形状パターンの差が大きくなり、パターンｐｐとの区別がしやすく、表示データの表示内容が書き換えられたか否かを容易に認識できる。
【００９３】
また、各マークｍが、表示面の中の周辺部に表示される場合、隣接した他の表示端末装置２０のマークｍとの関連性が生じ、統一感があって識別しやすい関連パターンを形成しやすくなる。
【００９４】
また、表示面が矩形であって、各マークｍが、矩形の辺のうち少なくとも１つの側に表示される場合、矩形の表示面の一辺側で隣接した他の表示端末装置２０の表示面におけるマークｍとの関連性が生じ、統一感があって識別しやすい関連パターンを形成しやすくなる。
【００９５】
［３．表示の変形例］
次に、表示の変形例について、図１３から図２２を用いて説明する。
【００９６】
（３．１  表示端末装置の表示の変形例）
まず、表示端末装置２０の表示の変形例について、図１３および図１４を用いて説明する。
図１３および図１４は、表示端末装置２０の表示の変形例を示す模式図である。
【００９７】
図１３に示すように、棒状のマークｍ１でもよい。マークｍ１の形状が示す方向に、表示端末装置２０が配列されている。
【００９８】
表示端末装置２０の表示状態ｓ０で、表示端末装置２０の図中左側（表示面の中の周辺部の一例、矩形の辺のうち少なくとも１つの側の一例）に表示されたマークｍ１同士が、マークｍ１の形状が示す方向につながるように表示され、各マークｍ１が互いに所定の関連性を有し、関連パターンｐｔ０が形成されている。
【００９９】
表示端末装置２０の表示状態ｓ１で、表示端末装置２０の図中右側（表示面の中の周辺部の一例、矩形の辺のうち少なくとも１つの側の一例）に表示されたマークｍ１同士が、マークｍ１の形状が示す方向につながるように表示され。関連パターンｐｔ１が形成されている。
【０１００】
従って、関連パターンｐｔ０、ｐｔ１の表示状態では、一方の表示端末装置２０のマークｍ１と、他方の表示端末装置２０のマークｍ１との間で、マークｍ１の形状が示す方向の連続性が強くなり、関連パターンｐｔ０、ｐｔ１は、統一感が強くなる。
【０１０１】
そして、画面書換処理が行われる毎（すなわち、表示データが書き換えられる毎）に、所定位置に表示されたマークｍ１の表示位置が交互に変わり、関連パターンｐｔ０と、関連パターンｐｔ１との間を関連パターンが行き来する。
【０１０２】
一方、書き換えた失敗したパターンｐｐの表示状態では、一方の表示端末装置２０のマークｍ１と、他方の表示端末装置２０のマークｍ１とでは、横方向においてずれている。従って、関連パターンｐｔ０、ｐｔ１とパターンｐｐとは、区別しやすい。
【０１０３】
以上、本変形例でも表示データが書き換えられた際に、各表示端末装置２０の表示面の所定位置に表示された各マークｍ１により構成されるパターンが、各マークｍ１が互いに所定の関連性を有する関連パターン（ｐｔ０、ｐｔ１）になるように、マークｍ１の表示が制御されるので、書き換えが失敗したパターンｐｐとの区別がしやすく、表示データの表示内容が書き換えられたか否かを容易に認識できる。
【０１０４】
また、表示データが書き換えられる毎に、複数の所定位置に順に表示されるマークｍ１を表示する場合、書き換えに対して規則的で統一感のある関連パターンを形成しやすくなる。すなわち、書き換えに対して同期した関連パターンを形成しやすくなる。
【０１０５】
また、表示データが書き換えられる毎に、表示端末装置２０の図中の左右の側に、マークｍ１を表示する所定位置を変更する場合、規則的で統一感のある関連パターンｐｔ０、ｐｔ１に対して、書き換えが失敗したパターンｐｐとの複数のマークｍにより形成される形状パターンの差が大きくなり、パターンｐｐとの区別がしやすく、表示データの表示内容が書き換えられたか否かを容易に認識できる。
【０１０６】
また、各マークｍ１が、表示面の中の周辺部に表示される場合、隣接した他の表示端末装置２０のマークｍ１との関連性が生じ、統一感があって識別しやすい関連パターンを形成しやすくなる。
【０１０７】
また、表示面が矩形であって、各マークｍ１が、矩形の辺のうち少なくとも１つの側に表示される場合、矩形の表示面の一辺側で隣接した他の表示端末装置２０の表示面におけるマークｍ１との関連性が生じ、統一感があって識別しやすい関連パターンを形成しやすくなる。特に、棒状のマークｍ１が、直線上に並んだ関連パターンｐｔ０、ｐｔ１に比べ、書き換えが失敗したパターンｐｐとの差が明確になりやすい。
【０１０８】
次に、図１４に示すように、表示端末装置２０において、マークｍの表示は１つでもよい。
【０１０９】
表示端末装置２０の表示状態ｓ０で、上側の表示端末装置２０の図中左側下隅（表示面の中の周辺部の一例、矩形の辺のうち少なくとも１つの側の一例）に表示されたマークｍと、下側の表示端末装置２０の図中左側上隅（表示面の中の周辺部の一例、矩形の辺のうち少なくとも１つの側の一例）に表示されたマークｍとが、隣接するように表示されて、各マークｍが互いに所定の関連性を有し、関連パターンｐｔ０が形成されている。
【０１１０】
表示端末装置２０の表示状態ｓ１で、上側の表示端末装置２０の図中右側下隅（表示面の中の周辺部の一例、矩形の辺のうち少なくとも１つの側の一例）に表示されたマークｍと、下側の表示端末装置２０の図中右側上隅（表示面の中の周辺部の一例、矩形の辺のうち少なくとも１つの側の一例）に表示されたマークｍとが、隣接するように表示されて、各マークｍが互いに所定の関連性を有し、関連パターンｐｔ１が形成されている。
【０１１１】
従って、関連パターンｐｔ０、ｐｔ１の表示状態では、一方の表示端末装置２０のマークｍと、他方の表示端末装置２０のマークｍとの間で、マークｍ同士が隣接するようになり、関連性が生じ、関連パターンｐｔ０、ｐｔ１は、統一感を有する。
【０１１２】
一方、書き換えた失敗したパターンｐｐの表示状態では、一方の表示端末装置２０のマークｍ１と、他方の表示端末装置２０のマークｍ１とが、互い違いになり、関連パターンｐｔ０、ｐｔ１とパターンｐｐとは、区別しやすくなる。
【０１１３】
本変形例でも同様な効果が得られる。
【０１１４】
（３．２  表示パターンの変形例）
次に、表示パターンの変形例について、図１５から図１９を用いて説明する。
図１５から図１７は、各表示端末装置に表示されたマークにより形成される表示パターンの変形例を示す模式図である。
【０１１５】
図１５に示すように、各表示端末装置２０の表示部２３が一度に視認できるように、４つの表示端末装置が、対象物（荷台Ｃ）の所定面に、互いに隣接して、縦および横に並べて設置されてもよい。すなわち、マトリックス状に表示端末装置が設置されている。なお、図１５では、表示部２３とマークｍのみを示している。
【０１１６】
図１５に示すように、各表示端末装置２０において、マークｍの表示は１つ表示されている、
【０１１７】
関連パターンｐｔ０で、図中上左側の表示端末装置２０において、図中右側下隅（表示面の中の周辺部の一例、矩形の辺のうち少なくとも１つの側の一例）にマークｍが表示され、図中下左側の表示端末装置２０において、図中右側上隅（表示面の中の周辺部の一例、矩形の辺のうち少なくとも１つの側の一例）にマークｍが表示され、図中上右側の表示端末装置２０において、図中左側下隅（表示面の中の周辺部の一例、矩形の辺のうち少なくとも１つの側の一例）にマークｍが表示され、図中下右側の表示端末装置２０において、図中左側上隅（表示面の中の周辺部の一例、矩形の辺のうち少なくとも１つの側の一例）にマークｍが表示されている。
【０１１８】
このように、関連パターンｐｔ０では、４つの各表示部２３の隅が集まったところに、マークｍが密集しているようなパターンとなり、各マークｍが互いに所定の関連性を有し、統一感が生じる。
【０１１９】
関連パターンｐｔ１で、図中上左側の表示端末装置２０において、図中左側上隅にマークｍが表示され、図中下左側の表示端末装置２０において、図中左側下隅にマークｍが表示され、図中上右側の表示端末装置２０において、図中右側上隅にマークｍが表示され、図中下右側の表示端末装置２０において、図中右側下隅にマークｍが表示されている。
【０１２０】
このように、関連パターンｐｔ１では、４つの各表示部２３の隅が集まったところから離れた位置に、各マークｍが表示され、中心部からマークｍが離散しているという統一感が生じ、各マークｍが互いに所定の関連性を有する。このような関連パターンｐｔ１（粗なパターン）に対して、関連パターンｐｔ０（密なパターン）とは対になるパターンとなり、関連パターンｐｔ０、ｐｔ１間においても統一感や関連性が生じる。
【０１２１】
画面書換処理が行われる毎（すなわち、表示データが書き換えられる毎）に、所定位置に表示されたマークｍの表示位置が、表示部２３において対角線上に交互に変わる。
【０１２２】
一方、書き換えた失敗したパターンｐｐの表示状態では、少なくとも１つの表示部２３のマークｍの表示位置が異なっていて、関連パターンｐｔ０、ｐｔ１とは、区別しやすい。
【０１２３】
なお、図１６に示すように、図１５に示した４つの表示端末装置でなく、３つの表示端末装置でもよい。
【０１２４】
図１６に示すように、関連パターンｐｔ０で、３つのマークｍが集積していて、関連パターンｐｔ１で、中心部から３つのマークｍが離散している。
【０１２５】
一方、書き換えた失敗したパターンｐｐの表示状態では、少なくとも１つの表示部２３のマークｍの表示位置が異なっていて、関連パターンｐｔ０、ｐｔ１とは、区別しやすい。
【０１２６】
また、図１７に示すように、各表示端末装置の表示部２３が一度に視認できるように、６つの表示端末装置がマトリックス状に対象物（荷台Ｃ）の所定面に設置されてもよい。
【０１２７】
図１７に示すように、関連パターンｐｔ０で、左右の表示端末装置に挟まれた表示端末装置の表示部２３のマークｍは、左右方向に２つ表示される。上側の表示部２３では、２つのマークｍが表示部２３の下側に表示される。下側の表示部２３では、２つのマークｍが表示部２３の上側に表示される。関連パターンｐｔ０において、６つの表示部２３における各マークｍは、中心部に集まっているように表示される。
【０１２８】
関連パターンｐｔ１で、左右の表示端末装置に挟まれた表示端末装置の上側の表示部２３では、２つのマークｍが表示部２３の上側に表示される。下側の表示部２３では、２つのマークｍが表示部２３の下側に表示される。関連パターンｐｔ０において、６つの表示部２３における各マークｍは、中心部から離散しているように表示される。
【０１２９】
画面書換処理が行われる毎（すなわち、表示データが書き換えられる毎）に、所定位置に表示された１つのマークｍの表示位置が、表示部２３において対角線上に交互に変わり、所定位置に表示された２つのマークｍの表示位置が、表示部２３において上下に交互に変わる。
【０１３０】
一方、書き換えた失敗したパターンｐｐの表示状態では、少なくとも１つの表示部２３のマークｍの表示位置が異なっていて、関連パターンｐｔ０、ｐｔ１とは、区別しやすい。
【０１３１】
このように、複数の表示端末装置がマトリックス状に対象物に設置されても、上述した表示端末装置が直列に設置された場合と同様な効果が得られる。
【０１３２】
（３．３  表示状態の変形例）
次に、マークの表示状態が３つ以上ある変形例について、図１８および図１９を用いて説明する。
図１８および図１９は、各表示端末装置に表示されたマークが３つの表示状態である一例を示す模式図である。
【０１３３】
図１８に示すように、マークｍ２の表示状態が３つであってもよい。丸い表示部２３Ａにおいて、円形のマークｍ２が、表示状態”ｓ０”で、上側の所定位置に表示され、表示状態”ｓ１”で、６０°時計回りに移動した所定位置に表示され、表示状態”ｓ２”で、１２０°時計回りに移動した所定位置に表示される。
【０１３４】
３つのマークｍ２が表示状態”ｓ０”で揃っている場合の関連パターンｐｔ０では、表示部２３Ａの上部（表示面の中の周辺部の一例）で、３つのマークｍ２が横一列に並んで、各マークｍ２が互いに所定の関連性を有している。
【０１３５】
３つのマークｍ２が表示状態”ｓ１”で揃っている場合の関連パターンｐｔ１では、表示部２３Ａ内において６０°時計回りに移動した所定位置（表示面の中の周辺部の一例）で、３つのマークｍ２が横一列に並んで、各マークｍ２が互いに所定の関連性を有している。
【０１３６】
３つのマークｍ２が表示状態”ｓ２”で揃っている場合の関連パターンｐｔ２では、表示部２３Ａ内において１２０°時計回りに移動した所定位置（表示面の中の周辺部の一例）で、３つのマークｍ２が横一列に並んで、各マークｍ２が互いに所定の関連性を有している。
【０１３７】
そして、画面書換処理が行われる毎（すなわち、表示データが書き換えられる毎）に、所定位置に表示されたマークｍ２の表示位置が、表示状態”ｓ０”、表示状態”ｓ１”、表示状態”ｓ２”と順に変わり、そして、表示状態”ｓ０”に戻る。表示状態”ｓ０”、表示状態”ｓ１”、表示状態”ｓ２”と順に変わり、関連パターンも、関連パターンｐｔ０、関連パターンｐｔ１、関連パターンｐｔ２と順に変わる。
【０１３８】
一方、書き換えた失敗したパターンｐｐの表示状態では、少なくとも１つの表示部２３Ａのマークｍ２の表示位置が異なっていて、パターンが乱れ、マークｍ２の統一感がある関連パターンｐｔ０、ｐｔ１とは、区別しやすい。
【０１３９】
図１９に示すように、マークｍ２の表示状態が４つであってもよい。表示部２３において、マークｍが、表示状態”ｓ０”で、表示部２３の図中左上側隅の所定位置に表示され、表示状態”ｓ１”で、表示部２３の図中右上側隅の所定位置に表示され、表示状態”ｓ２”で、表示部２３の図中右下側隅の所定位置に表示され、表示状態”ｓ３”で、表示部２３の図中左下側隅の所定位置に表示される。
【０１４０】
４つのマークｍが表示状態”ｓ０”で揃っている場合の関連パターンｐｔ０では、表示部２３の上部（表示面の中の周辺部の一例、矩形の辺のうち少なくとも１つの側の一例）で、４つのマークｍが横一列に並んで、各マークｍが互いに所定の関連性を有している。
【０１４１】
４つのマークｍが表示状態”ｓ１”で揃っている場合の関連パターンｐｔ１では、表示部２３の上部で、４つのマークｍが横一列に並んで、各マークｍが互いに所定の関連性を有している。
【０１４２】
４つのマークｍが表示状態”ｓ２”で揃っている場合の関連パターンｐｔ２では、表示部２３の下部（表示面の中の周辺部の一例、矩形の辺のうち少なくとも１つの側の一例）で、４つのマークｍが横一列に並んで、各マークｍが互いに所定の関連性を有している。
【０１４３】
４つのマークｍが表示状態”ｓ３”で揃っている場合の関連パターンｐｔ３では、表示部２３の下部で、４つのマークｍが横一列に並んで、各マークｍが互いに所定の関連性を有している。
【０１４４】
そして、画面書換処理が行われる毎（すなわち、表示データが書き換えられる毎）に、所定位置に表示されたマークｍの表示位置が、表示状態”ｓ０”、表示状態”ｓ１”、表示状態”ｓ２”、表示状態”ｓ３”と順に変わり、そして、表示状態”ｓ０”に戻る。表示状態”ｓ０”、表示状態”ｓ１”、表示状態”ｓ２”、表示状態”ｓ３”と順に変わり、関連パターンも、関連パターンｐｔ０、関連パターンｐｔ１、関連パターンｐｔ２、関連パターンｐｔ３と順に変わる。
【０１４５】
一方、書き換えた失敗したパターンｐｐの表示状態では、少なくとも１つの表示部２３のマークｍの表示位置が異なっていて、パターンが乱れ、マークｍの統一感がある関連パターンｐｔ０、ｐｔ１とは、区別しやすい。
【０１４６】
このように３つ以上の表示状態であっても、上述した表示状態が２つの場合と同様な効果が得られる。
【０１４７】
（３．４  マークの変形例）
次に、マークの変形例について、図２０および図２１を用いて説明する。
図２０および図２１は、各表示端末装置に表示されたマークが数字である一例を示す模式図である。
【０１４８】
図２０に示すように、マークｍ３は数字であってもよい。表示部２３において、マークｍ３（”１”）が、表示状態”ｓ０”で、表示部２３の図中左上の隅（表示面の中の周辺部の一例、矩形の辺のうち少なくとも１つの側の一例）に表示され、マークｍ３（”２”）が、表示状態”ｓ０”で、表示部２３の図中左上の隅に表示される。
【０１４９】
３つのマークｍ３が表示状態”ｓ０”で揃っている場合の関連パターンｐｔ０では、表示部２３の上部の隅で、マークｍ３の数字”１”が横一列に並んでいる。３つのマークｍ３が表示状態”ｓ１”で揃っている場合の関連パターンｐｔ１では、表示部２３の上部の隅で、マークｍ３の数字”２”が横一列に並んでいる。このように、関連パターンｐｔ０、ｐｔ１では、同じ数字が同じような位置に、横一列に並んで、各マークｍ３が互いに所定の関連性を有し、統一感がある。
【０１５０】
画面書換処理が行われる毎（すなわち、表示データが書き換えられる毎）に、所定位置に表示されたマークｍの表示が、”１”と”２”とに交互に変わる。
【０１５１】
一方、書き換えた失敗したパターンｐｐの表示状態では、少なくとも１つの表示部２３のマークｍ３の数字の表示が異なっていて、同じ数字が並ぶ関連パターンｐｔ０、ｐｔ１とは、区別しやすい。
【０１５２】
なお、数字の代わりに、記号やシンボルでもよい。
【０１５３】
次に、図２１に示すように、マークｍ３の数字の並びに、規則性があってもよい。３つの表示端末装置の各表示部２３の所定位置において、規則性があるマークｍ３の数字が並んでいる。
【０１５４】
関連パターンｐｔ０において、各表示部２３の表示状態”ｓ０”、”ｓ１”、”ｓ２”であり、マークｍ３は、各々”１”、”２”、”３”である。関連パターンｐｔ１において、各表示部２３の表示状態”ｓ１”、”ｓ２”、”ｓ３”であり、マークｍ３は、各々”２”、”３”、”４”である。関連パターンｐｔ２において、各表示部２３の表示状態”ｓ２”、”ｓ３”、”ｓ４”であり、マークｍ３は、各々”３”、”４”、”５”である。関連パターンｐｔ３において、各表示部２３の表示状態”ｓ３”、”ｓ４”、”ｓ５”であり、マークｍ３は、各々”４”、”５”、”６”である。
【０１５５】
マークｍ３は、横に並んだ表示部２３において、横一列に連番で”１”、”２”、”３”のようになっていて、各マークｍ３が互いに所定の関連性を有していて、統一感がある。
【０１５６】
画面書換処理が行われる毎（すなわち、表示データが書き換えられる毎）に、関連パターンｐｔ０の表示状態”ｓ０”、”ｓ１”、”ｓ２”、関連パターンｐｔ１の表示状態”ｓ１”、”ｓ２”、”ｓ３”、関連パターンｐｔ２の表示状態”ｓ２”、”ｓ３”、”ｓ４”、関連パターンｐｔ３の表示状態”ｓ４”、”ｓ５”、”ｓ６”と順に変わっていく。関連パターンｐｔ３の表示状態”ｓ４”、”ｓ５”、”ｓ６”の後、関連パターンｐｔ０の表示状態”ｓ０”、”ｓ１”、”ｓ２”に戻る。
【０１５７】
一方、書き換えた失敗したパターンｐｐの表示状態では、少なくとも１つの表示部２３のマークｍ３の数字が変わらないため、連番が崩れ、数字が連番で並ぶ関連パターンｐｔ０、ｐｔ１、ｐｔ２、ｐｔ３とは、区別しやすい。
【０１５８】
このように、マークｍ３が数字であっても、上述したマークｍと同様な効果が得られる。
【０１５９】
（３．５  表示端末装置の変形例）
次に、表示端末装置の変形例について図２２を用いて説明する。
図２２は、表示端末装置の変形例を示す模式図である。
【０１６０】
図２２に示すように、表示端末装置２０Ａは、表示部２３に表示されるマークｍの代わりに、表示部２３の所定位置（表示面の一例）に表示された発光素子Ｌ１、Ｌ２（マークの一例）でもよい。発光素子Ｌ１の設置位置は、図６Ａにおける所定位置２３ａに対応し、発光素子Ｌ２の設置位置は、図６Ａにおける所定位置２３ｂに対応する。
【０１６１】
図１０の表示状態”ｓ０”の場合、発光素子Ｌ１が点灯し、図１０の表示状態”ｓ１”の場合、発光素子Ｌ２が点灯する。対象物に複数設置された表示端末装置２０Ａは、対象物に複数設置された表示端末装置２０と同様の効果を有する。
【０１６２】
なお、マークｍは、所定の情報を表すコードでもよい。マークｍを機械的に認識しやすくなり、自動で、書き換えの失敗を認識できる。
【０１６３】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１６４】
１：表示システム
５：無線機
１０：情報処理装置（表示制御装置）
１２ｃ：表示情報ＤＢ
２０、２０Ａ：表示端末装置
２３：表示部（表示面）
２３ａ、２３ｂ：所定位置
ｍ、ｍ１、ｍ２、ｍ２：マーク
ｐｔ０、ｐｔ１、ｐｔ２、ｐｔ３：関連パターン
【図１】
2015127923.tif 000003
【図２】
2015127923.tif 000004
【図３】
2015127923.tif 000005
【図４】
2015127923.tif 000006
【図５】
2015127923.tif 000007
【図６Ａ】
2015127923.tif 000008
【図６Ｂ】
2015127923.tif 000009
【図７】
2015127923.tif 000010
【図８】
2015127923.tif 000011
【図９】
2015127923.tif 000012
【図１０】
2015127923.tif 000013
【図１１】
2015127923.tif 000014
【図１２】
2015127923.tif 000015
【図１３】
2015127923.tif 000016
【図１４】
2015127923.tif 000017
【図１５】
2015127923.tif 000018
【図１６】
2015127923.tif 000019
【図１７】
2015127923.tif 000020
【図１８】
2015127923.tif 000021
【図１９】
2015127923.tif 000022
【図２０】
2015127923.tif 000023
【図２１】
2015127923.tif 000024
【図２２】
2015127923.tif 000025